(57)【要約】  【課題】スプリンクラヘッドの接液部での腐食を防止する。  【解決手段】消火水Ｗが充水される配管１と、該配管に接続されるスプリンクラヘッド５と、を備えた消火設備において；前記スプリンクラヘッド５は、放水口３４を有するヘッド本体３０と、該放水口３４を塞ぐ弁体３６と、を備え、前記ヘッド本体３０の上部に、前記消火水Ｗの水圧によって破れるラプチャーデイスク２０を設け、該ラプチャーデイスク２０と前記弁体３６との間に、前記水圧の影響を打ち消すベアリングボールを充填する。  【選択図】  図１
2007209578.tif 000002
【特許請求の範囲】
【請求項１】
消火水が充水される配管と、該配管に接続されるスプリンクラヘッドと、を備えた消火設備において；
前記スプリンクラヘッドは、放水口を有するヘッド本体と、該放水口を塞ぐ弁体と、を備え、
前記ヘッド本体の上部に、前記消火水の水圧によって破れるシール部材を設け、
該シール部材と前記弁体との間に、前記水圧の影響を打ち消す部材を設けたことを特徴とするスプリンクラ消火設備。
【請求項２】
前記ヘッド本体に、前記配管にワンタッチで接続できるワンタッチ継手を設け、該ワンタッチ継手内に、前記シール部材を設けたことを特徴とする請求項１記載のスプリンクラ消火設備。
【請求項３】
前記配管に接続され、前記ワンタッチ継手が挿入される受け継手と、該受け継手内に形成された貫通孔を塞ぐシールボールと、前記シール部材の上部に設けられ、消火水の通過孔を備えた円板と、該円板の中央部に設けられ、前記シールボールを押し上げる押上げロッドと、を備えていることを特徴とする請求項２記載のスプリンクラ消火設備。
【請求項４】
前記シール部材は、ゴム製又は金属製の膜シールであることを特徴とする請求項１、又は、２記載のスプリンクラ消火設備。
【請求項５】
シール部材は、収容凹部に収容され、該収容凹部に螺着される押えリングにより押圧されていることを特徴とする請求項１、２、３、又は、４記載のスプリンクラ消火設備。
【請求項６】
水圧の影響を打ち消す部材が、ベアリングボール、又は、オイルであることを特徴とする請求項１、２、３、４、又は、５記載のスプリンクラ消火設備。
【発明の詳細な説明】
【技術分野】
【０００１】
この発明は、戸建て住宅や共同住宅等に用いられる消火設備に関するものである。
【背景技術】
【０００２】
従来の戸建て用のスプリンクラ消火設備として、水道と接続して構成されたスプリンクラ消火設備が知られている（例えば、特許文献１、参照）。
この様な家庭用のスプリンクラ消火設備では、給水配管の末端をトイレに設け、そこに給水栓を設置している。そして、定期的に前記給水栓を使用して水を流すことにより、該配管内に水が停滞しないようにしてある。
【０００３】
又、スプリンクラの配管とスプリンクラヘッドの接続は、特殊な形状の継手を使用しており、ヘッドの立ち下がり部分にも水が停滞しない様にしてある（例えば、特許文献１  図５、参照）。
【０００４】
【特許文献１】特開２００５−３３７号公報
【発明の開示】
【発明が解決しようとする課題】
【０００５】
従来のスプリンク消火設備では、配管材質、工法や水質によっては、腐食しやすい条件がある。スプリンクラヘッドの接液部（放水口の銅ガスケット部分）で、このように腐食が発生すると、シール漏れの原因となる。
【０００６】
この発明は、上記事情に鑑み、スプリンクラヘッドの接液部での腐食を防止することを目的とする。
【課題を解決するための手段】
【０００７】
この発明は、消火水が充水される配管と、該配管に接続されるスプリンクラヘッドと、を備えた消火設備において；  前記スプリンクラヘッドは、放水口を有するヘッド本体と、該放水口を塞ぐ弁体と、を備え、前記ヘッド本体の上部に、前記消火水の水圧によって破れるシール部材を設け、該シール部材と前記弁体との間に、前記水圧の影響を打ち消す部材を設けたことを特徴とする。
【０００８】
この発明の前記ヘッド本体に、前記配管にワンタッチで接続できるワンタッチ継手を設け、該ワンタッチ継手内に、前記シール部材を設けたことを特徴とする。
この発明は、前記配管に接続され、前記ワンタッチ継手が挿入される受け継手と、該受け継手内に形成された貫通孔を塞ぐシールボールと、前記シール部材の上部に設けられ、消火水の通過孔を備えた円板と、該円板の中央部に設けられ、前記シールボールを押し上げる押上げロッドと、を備えていることを特徴とする。
【０００９】
この発明の前記シール部材は、ゴム製又は金属製の膜シールであることを特徴とする。この発明のシール部材は、収容凹部に収容され、該収容凹部に螺着される押えリングにより押圧されていることを特徴とする。この発明の水圧の影響を打ち消す部材が、ベアリングボール、又は、オイルであることを特徴とする。
【発明の効果】
【００１０】
この発明は、ヘッド本体の上部に、前記消火水の水圧によって破れるシール部材を設け、該シール部材と前記弁体との間に、前記水圧の影響を打ち消す部材を設けたので、消火水がヘッド本体内に流入しない。そのため、通常時（火災監視時）において消火水が弁体に接触することがないので、従来例と異なり、弁体等の腐食は発生しない。
【発明を実施するための最良の形態】
【００１１】
本件発明者は、弁体に被着されている銅ガスケット（シール材）の腐食を防止するには、該銅ガスケットを消火水に接触させないようにすれば良い、と考えた。
そこで、研究を重ねた結果、下記実施の形態１，２の様にすれば良いことが分かった。
【００１２】
この発明の実施の形態１を図１〜図３により説明する。
図３に示すように、戸建て住宅、又は、共同住宅等に設置されているスプリンクラ消火設備の配管１には、継手３を介してスプリンクラヘッド５が連結されている。
【００１３】
継手３は、停滞水防止継手であり、円筒状のアジャスタ６を備えている。該アジャスタ６の下端部には、断面円錐台状の凹部８が設けられており、該凹部８には、スプリンクラヘッド５のヘッド本体３０が螺着されている。
【００１４】
アジャスタ６には、シール部材２０固定用のコマ１２が装着されている。このコマ１２は、円筒体状に形成され、その下端部内面には、収容凹部１４が設けられている。この収容凹部１４の内径は、前記円筒体状のコマ１２の内径より大きく形成され、その内周面には、ねじ部１６が形成されている。
【００１５】
前記収容凹部１４には、シール部材２０が収容され、該シール部材２０は、押えリング２２により押圧され固定されている。この押えリング２２の内径は、前記円筒体状のコマ１２の内径と同一であり、その外周面には、前記ねじ部１６と螺合するねじ部２４が設けられている。  
【００１６】
シール部材２０としては、例えば、円板状に形成されたラプチャーデイスクが用いられる。このラプチャーデイスク２０は、ゴム製又は金属製の膜シールであり、表裏にかかる差圧が所定値以上になると破壊される。
【００１７】
スプリンクラヘッド５は、ヘッド本体３０と、感熱分離機構３３とを備えている。ヘッド本体３０には、流路３２と、該流路３２下端の放水口３４とが設けられ、その外周面には前記凹部８に螺合されるねじ部３５が形成されている。
【００１８】
前記放水口３４は、弁体３６により塞がれており、該弁体３６はバランサ３８（又はアームガイド）を介して感熱分離機構３３により支持されている。この感熱分離機構３３については、詳細な説明を省略するが、例えば、バランサ３８を支持する左右一対のアーム、可溶合金を収容するシリンダ、該可溶合金を押圧するピストン、前記シリンダに連結された感熱板、等が設けられている。
【００１９】
前記シール部材２０と弁体３６との間には、シール部材２０の上面にかかる消火水の水圧の影響を打ち消す部材、例えば、ベアリングボール４０等の支持ボールが充填されている。このボール４０の大きさ、材質、充填量等は、感熱分離機構３３が分解したときに、放水口34から詰まることなく流出するものであれば、どのようなものでも良い。なお、支持ボールの代わりに、オイルを充填しても良い。
又、支持ボールの充填は、流路３２内に隙間なく支持ボールを詰め込み、シール部材２０の上面に水圧がかかって、その水圧の影響を受けても破れない様にする。
【００２０】
次に、この実施の形態の作動について説明する。
通常時（火災監視時）：
前記配管１に充水された消火水Ｗは、継手３のアジャスタ６に流れ込むが、この消火水Ｗはラプチャーデイスク２０により止められ、ヘッド本体３０内に流入することができない。この時、ラプチャーデイスク２０には、消火水Ｗの水圧Ｐがかかるが、この水圧Ｐはラプチャーデイスク２０の下面を支持する支持ボール４０により打ち消されるので、このラプチャーデイスク２０の上面と下面との間における差圧は、発生しない。そのため、ラプチャーデイスク２０は、前記消火水Ｗの水圧を受けているにもかかわらず破れることはない。
【００２１】
なお、通常時には、流路３２に消火水Ｗが流入しないので、弁体３６にシール材（銅ガスケット）を設ける必要はない。
【００２２】
異常時（火災発生時）：
火災の発生により感熱分離機構３３が感熱して分解すると、弁体３６が放水口３４から離れ、ベアリングボール４０が落下する。そのため、ラプチャーデイスク２０の上面にかかっている水圧Ｐと下面にかかる大気圧との間に大きな差圧が発生する。そのため、該ラプチャーデイスク２０は破れるので、消火水Ｗは流路３２を通り放水口３４から放出される。
【００２３】
この発明の実施の形態２を図４，図５により説明するが、図１〜図３と同一図面符号は、その名称も機能も同一である。
この実施の形態２では、前記実施の形態１における停滞水防止継手の代わりに、配管にワンタッチで接続できる所謂ワンタッチ継手を用いている。
【００２４】
前記配管に接続され、前記ワンタッチ継手（装着筒）５５が挿入接続される受け継手４１は、小筒４４と、該小筒４４と貫通孔４２を介して連通する大筒４６とを備えている。大筒４６には、ロックボール４７用の切欠き穴４８が設けられ、その外側には、摺動筒５０が設けられている。この摺動筒５０の内周面の、前記切欠き穴４８に対向する部分にはロックボール４７用の押さえ凸部５２が設けられ、該凸部５２と大筒４６の上端部との間には、ばね５４が張設されている。このばね５４は前記凸部５２をストッパ５３に当接せしめる方向に付勢する。前記ストッパ５３は、大筒４６の外周面下端部に形成されている。
【００２５】
大筒４６の内側には、ヘッド本体３０に螺合するワンタッチ継手（装着筒）５５が設けられ、このワンタッチ継手５５の外周面の、前記ロックボール４７用の切欠き穴４８に対向する部分には、前記ボール４７の収容溝５６が設けられている。前記ワンタッチ継手５５の上端部には、ワンタッチ継手５５の内径より大きな内径を有する収容凹部５８が設けられている。
【００２６】
この収容凹部５８の内周面には、ねじ部６０が設けられ、その底面には、Ｏリング６１が嵌着されるＯリング溝６２が設けられている。前記収容凹部５８には、シール部材、例えば、ラプチャーデイスク６３が設けられ、該ラプチャーデイスク６３は、該収容凹部５８に螺着される押えリング６４により押圧され、固定される。この押えリング６４の外周面及び内周面には、ねじ部６６，６７が設けられている。
【００２７】
押えリング６４のねじ部６７には、円板６８が螺着されている。この円板６８は複数、例えば、４半円状の４つの通過孔７０を有し、その中央部上面には、押上げロッド７２が突設されている。このロッド７２は、アーム７４により支持されており、貫通孔４２を閉鎖するシールボール７１を押し上げて、該貫通孔４２を開放させている。円板６８の外周面には、前記ねじ部６７と螺合するねじ部７６が設けられている。
【００２８】
放水口３４は、シール材、例えば、銅ガスケット７８を装着した弁体３６により閉鎖されており、該弁体３６とラプチャーデイスク６３との間には、消火水の水圧の影響を打ち消す部材、例えば、オイル８０が充填されている。なお、オイル８０の代わりに、ベアリングボールを用いても良い。
【００２９】
次に、この実施の形態２の作動について説明する。
通常時（火災監視時）：
前記配管に充填された消火水Ｗは、受け継手４１の貫通孔４２に流れ込み、円板６８の通過孔７０を通るが、この消火水Ｗはラプチャーデイスク６３により止められるので、ヘッド本体３０内に流入することができない。この時、ラプチャーデイスク６３には、消火水Ｗの水圧Ｐがかかるが、この水圧Ｐはラプチャーデイスク６３の下面を支持するオイル８０により打ち消されるので、このラプチャーデイスク６３の上面と下面との間における差圧は、発生しない。そのため、ラプチャーデイスク６３は、前記消火水Ｗの水圧を受けているにもかかわらず破れることはない。
【００３０】
なお、弁体３６には、シール材７８が設けられているので、オイル８０が漏出することはない。
【００３１】
異常時（火災発生時）：
火災の発生により感熱分離機構３２が感熱して分解すると、弁体３６が放水口３４から離れるので、オイル８０が放水口３４から流下する。そのため、ラプチャーデイスク６３の上面にかかっている水圧Ｐと下面にかかる大気圧との間に大きな差圧が発生するため、前記ラプチャーデイスク６３は破れるので、消火水Ｗはヘッド本体３０内に入り流路３２を通って放水口３４から放出される。この時、円板６８は変位しないため、押上げロッド７２はシールボール７１を押し上げているので、貫通孔４２は開かれた状態を維持する。
【００３２】
スプリンクラヘッドの交換：
消火作業終了後、摺動筒５０をばね５４のばね力に抗して上方に摺動させると、押え凸部５２に押さえられていたロックボール４７が外方に移動して、収容溝５６から出るので、大筒４６とワンタッチ継手５５とのロックは解除される。そのため、スプリンクラヘッド５を下方に引っ張ると、ワンタッチ継手５５は大筒４６から抜けるので、押上げロッド７２の付いた円板６８は器外に取り出される。
【００３３】
そうすると、シールボール７１は、押上げロッド７２から開放されて落下し、貫通孔４２を閉鎖する。そのため、消火水Ｗが貫通孔４２から流下することはない。
【００３４】
放水口３４が弁体３６で閉鎖された、新しいヘッド本体３０にワンタッチ継手（装着筒）５５を装着する。該装着筒５５内にオイル８０を充填した後、収容凹部５８にシール部材６３を嵌着し、該収容凹部５８に押えリング６４を螺着して前記シール部材６３を押圧し固定する。前記押えリング６４に円板６８を螺着し固定する。
【００３５】
受け継手４１の摺動筒５５を押し上げて、ワンタッチ継手５５を受け継手４１の大筒４６内に押し込んでから、受け継手４１の摺動筒５５を下げると、ロックボール４７が収容溝５６に入り、摺動筒５０の押え凸部５２により押圧されるので、ワンタッチ継手５５はロックされる。
【図面の簡単な説明】
【００３６】
【図１】実施の形態１を示す縦断面図である。
【図２】シール部材の固定手段の部品を示す縦断面図であり、図２（Ａ）はコマ、図２（Ｂ）はラプチャーデイスク、図２（Ｃ）は押えリング、を示す図である。
【図３】使用状態を示す正面図である。
【図４】実施の形態２を示す縦断面図である。
【図５】シール部材の固定手段の一部品である、円板を示す平面図である。
【図６】シール部材の固定手段の部品を示す縦断面図であり、図６（Ａ）は円板、図６（Ｂ）押えリング、図６（Ｃ）はラプチャーデイスク、図６（Ｄ）はワンタッチ継手、をそれぞれ示す。
【符号の説明】
【００３７】
１    配管
３    継手
５    スプリンクラヘッド
１２  コマ
１４  収容凹部
２０  シール部材
２２  押えリング
３０  ヘッド本体
３２  流路
３４  放水口
３６  弁体
４０  ベアリングボール
Ｗ    消火水
【図１】
2007209578.tif 000003
【図２】
2007209578.tif 000004
【図３】
2007209578.tif 000005
【図４】
2007209578.tif 000006
【図５】
2007209578.tif 000007
【図６】
2007209578.tif 000008